(57)【要約】【課題】トイレ室内等に邪魔になることなく簡単に取付けることができるロールペーパーホルダを提供する。【解決手段】ロールペーパーホルダ１０に、両面粘着テープ等によってトイレ室等の壁に取付けられる板状のベース部１１と、ベース部１１の前面の所定位置から前方へ突出する突出部１２と、突出部１２に対して脱着可能に装着され、ロールペーパーＲの中心の穴に挿入可能とされると共に、ロールペーパーＲの端面から使用者の指が掛かる程度に控えた長さの軸部１３とを具備させる。【選択図】図１
0003152098.tif 000002
【実用新案登録請求の範囲】
【請求項１】
板状のベース部と、
該ベース部の前面の所定位置から前方へ突出する少なくとも一つの突出部と、
該突出部に対して脱着可能に装着され、ロールペーパーの中心の穴に挿入可能とされると共に、ロールペーパーの端面から使用者の指が掛かる程度に控えた長さの軸部と
を具備することを特徴とするロールペーパーホルダ。
【請求項２】
前記ベース部に取付けられ、左右方向へ伸縮可能とされると共に伸長方向へ付勢可能とされた支持機構を更に具備することを特徴とする請求項１に記載のロールペーパーホルダ。
【請求項３】
前記ベース部の前面を装飾し、前記突出部に前記軸部を装着することで前記ベース部の前面に固定される装飾カバーを更に具備することを特徴とする請求項１又は請求項２に記載のロールペーパーホルダ。
【考案の詳細な説明】
【技術分野】
【０００１】
本考案は、トイレットペーパー等のロール状のロールペーパーを保持するためのロールペーパーホルダに関するものである。
【背景技術】
【０００２】
従来より、トイレ等で使用されるロール状のトイレットペーパーは、一般的に複数（例えば、１２個）単位で販売されており、購入した際に多数のトイレットペーパーを保管する必要があった。そこで、トイレ室に複数のトイレットペーパーを載置することができる棚を設置したり、トイレ室に複数のトイレットペーパーを収納することができる収納箱を設置したりして、複数のトイレットペーパーを収納するようにしていた（特許文献１）。
【考案の概要】
【考案が解決しようとする課題】
【０００３】
しかしながら、トイレ室に棚を設置する場合、棚の設置工事をする必要があり、大掛かりになると共に設置費用が高くなる問題がある。また、トイレ室に収納箱を設置するようにした場合、収納箱によってトイレ室が狭くなり収納箱が邪魔になる問題があると共に、複数のトイレットペーパーが収納箱内に収納されているので、収納されているトイレットペーパーの数が判らない問題があった。
【０００４】
そこで、本考案は上記の実情に鑑み、トイレ室内等に邪魔になることなく簡単に取付けることができるロールペーパーホルダの提供を課題とするものである。
【課題を解決するための手段】
【０００５】
上記の課題を解決するために、本考案に係るロールペーパーホルダは、「板状のベース部と、該ベース部の前面の所定位置から前方へ突出する少なくとも一つの突出部と、該突出部に対して脱着可能に装着され、ロールペーパーの中心の穴に挿入可能とされると共に、ロールペーパーの端面から使用者の指が掛かる程度に控えた長さの軸部とを具備する」ことを特徴とする。
【０００６】
ここで、脱着可能な突出部と軸部との関係としては、「突出部を円柱又は円筒状に形成した上で、軸部を突出部の外周と嵌合する円筒状に形成したもの」、「突出部又は軸部の何れか一方に係止爪を、何れか他方に係止爪と係止する係止部を備えたもの」、「突出部の外周に雄ねじを形成すると共に、軸部に雄ねじと螺合する雌ねじを形成したもの」、等が挙げられる。
【０００７】
本考案によると、トイレ室等の壁に固定されるベース部から突出した突出部に対し、軸部を脱着可能に装着しているので、軸部の前端からロール状のトイレットペーパー等のロールペーパーを挿入することで、簡単にロールペーパーを保持することができる。また、ロールペーパーを保持していない時は、壁から突出た軸部を突出部から取外すことで、突出た軸部がトイレ室内等で邪魔になるのを防止することができる。
【０００８】
また、軸部の長さが、保持したロールペーパーの端面から若干控えた長さ（例えば、５ｍｍ〜２５ｍｍ控えた長さ）とされているので、軸部に挿入保持されたロールペーパーを取出す際に、ロールペーパーの穴に指を入れ易くした上で穴の角に指を掛け易くすることができ、軸部に挿入保持したロールペーパーを取り易くすることができる。
【０００９】
更に、ロールペーパーホルダのベース部を、両面粘着テープを含む両面粘着フィルム等を用いてトイレ室等の壁に貼付けるようにしても良く、これにより、トイレ室内等へロールペーパーホルダを簡単に取付けることができ。なお、トイレットペーパー等のロールペーパーは、その重さが軽いので、両面粘着フィルムでも十分にロールペーパーを保持することができる。
【００１０】
また、ベース部に複数の突出部及び軸部を備えるようにしても良く、これにより、多くのロールペーパーを保持することができると共に、収納箱にロールペーパーを収納した場合と比較して、保持しているロールペーパーの数を簡単に知ることができる。なお、複数の突出部や軸部は、軸部にロールペーパーを保持した状態で、隣同士のロールペーパーが当らない間隔とする。また、複数の突出部や軸部の配置は、直線状であっても良いし、千鳥状であっても良いし、更に、上下に複数列の配置であっても良い。更に、ベース部に対して軸部を一つのみとした場合では、トイレ室等の壁に本考案の複数のロールペーパーホルダを取付けることで、購入した複数のロールペーパーを保持することができる。
【００１１】
また、本考案に係るロールペーパーホルダは、上記の構成に加えて、「前記ベース部に取付けられ、左右方向へ伸縮可能とされると共に伸長方向へ付勢可能とされた支持機構を更に具備する」ことを特徴としても良い。
【００１２】
本考案によると、ベース部に支持機構を備えるようにしているので、トイレ室等の対向する壁面に対して突っ張るように支持機構を取付けることで、ベース部を壁面の間に支持することができ、ロールペーパーホルダを簡単にトイレ室等に取付けることができる。また、支持機構では、左右方向へ伸縮することができるので、対向する壁面の間隔がロールペーパーホルダを取付けるトイレ室等によって異なっていても、支持機構を伸縮させることで、多様な間隔の壁面に取付けることができる。
【００１３】
更に、本考案に係るロールペーパーホルダは、上記の構成に加えて、「前記ベース部の前面を装飾し、前記突出部に前記軸部を装着することで前記ベース部の前面に固定される装飾カバーを更に具備する」ことを特徴としても良い。
【００１４】
本考案によると、突出部へ軸部を装着する際に、装飾カバーを挟むように軸部を装着することで、簡単にベース部の前面を装飾することができ、ロールペーパーホルダの見栄えを良くすることができる。また、軸部の脱着に伴って装飾カバーも脱着することができるので、予め色々な種類の装飾カバーを用意して、必要に応じて装飾カバーを交換したり、所望のデザインの装飾カバーを取付けたりすることができ、ロールペーパーホルダの見栄えを多様なニーズに合わせることができる。
【考案の効果】
【００１５】
上記のように、本考案によると、トイレ室内等に邪魔になることなく簡単に取付けることができるロールペーパーホルダを提供することができる。
【図面の簡単な説明】
【００１６】
【図１】（Ａ）は本考案の一実施形態であるロールペーパーホルダの全体斜視図であり、（Ｂ）は（Ａ）のロールペーパーホルダの断面図であり、（Ｃ）は（Ａ）のロールペーパーホルダの分解斜視図である。
【図２】図１のロールペーパーホルダに装飾カバーを加えた分解斜視図である。
【図３】図１とは異なる本考案の実施形態であるロールペーパーホルダの正面図である。
【考案を実施するための形態】
【００１７】
以下、本考案を実施するための形態を、図１及び図２に基いて詳細に説明する。図１（Ａ）は本考案の一実施形態であるロールペーパーホルダの全体斜視図であり、（Ｂ）は（Ａ）のロールペーパーホルダの断面図であり、（Ｃ）は（Ａ）のロールペーパーホルダの分解斜視図である。また、図２は、図１のロールペーパーホルダに装飾カバーを加えた分解斜視図である。本実施形態のロールペーパーホルダ１０は、板状のベース部１１と、ベース部１１の前面の所定位置から前方へ突出する突出部１２と、突出部１２に対して脱着可能に装着され、ロールペーパーＲの中心の穴に挿入可能とされると共に、ロールペーパーＲの端面から使用者の指が掛かる程度に控えた長さの軸部１３とを備えている。本例のロールペーパーホルダ１０は、図示は省略するが、ベース部１１の裏面に貼付けられた両面粘着フィルムによってトイレ室等の壁に取付けられるようになっている。
【００１８】
このロールペーパーホルダ１０は、図示するように、ベース部１１が円盤状に形成されていると共に、突出部１２が短い筒状に形成されており、本例では、それらが一体に形成されている。また、ロールペーパーホルダ１０の軸部１３は、筒状に形成されており、その長さが、ロールペーパーＲの幅に対して寸法Ｓ（５ｍｍ〜２５ｍｍ）の分だけ短く控えた長さとされている。なお、本例のロールペーパーホルダ１０は、全体が樹脂で形成されている。
【００１９】
本例のロールペーパーホルダ１０は、ベース部１１から突出した突出部１２の外周に筒状の軸部１３を嵌合させることで、軸部１３が脱着可能とされている。また、本例では、突出部１２に対して軸部１３がロールペーパーＲを支持することができる程度の強さで嵌合するようになっており、ロールペーパーＲを支持していない時に軸部１３を握る等して力を加えた場合、軸部１３が突出部１２から簡単に外れるようになっている。これにより、軸部１３が外れることで、壁に取付けられたベース部１１に大きな荷重がかかるのを防止することができ、ベース部１１が壁から外れてしまうのを防止することができる。
【００２０】
ところで、本例のロールペーパーホルダ１０は、図２に示すように、ベース部１１の前面を装飾し、突出部１２に軸部１３を装着することでベース部１１の前面に固定される装飾カバー１４を更に備えるようにしても良い。この装飾カバー１４は、詳細な図示は省略するが、厚紙等で形成され突出部１２が通過可能な穴を有した円盤状の芯部材と、芯部材の表面に縫製された布等からなる薄手の装飾部材とで構成されている。本例の装飾カバー１４は、中央の穴に突出部１２を挿通させた上で、突出部１２に軸部１３を嵌合させることで、ベース部１１の前面と軸部１３の端面との間に挟まれて保持されるようになっており、ベース部１１の前面を装飾することができるようになっている。
【００２１】
このように、本実施形態のロールペーパーホルダ１０によると、トイレ室等の壁に固定されるベース部１１から突出する突出部１２に対し、軸部１３を脱着可能に装着しているので、軸部１３の前端からロール状のトイレットペーパー等のロールペーパーＲを挿入することで、簡単にロールペーパーＲを保持することができる。また、ロールペーパーＲを保持していない時は、壁から突出た軸部１３を突出部１２から取外すことで、突出た軸部１３がトイレ室内等で邪魔になるのを防止することができる。
【００２２】
また、軸部１３の長さが、保持したロールペーパーＲの端面から若干控えた長さ（例えば、５ｍｍ〜２５ｍｍ控えた長さ）とされているので、軸部１３に挿入保持されたロールペーパーＲを取出す際に、ロールペーパーＲの穴に指を入れ易くした上で穴の角に指を掛け易くすることができ、保持したロールペーパーＲを取り易くすることができる。
【００２３】
更に、ベース部１１の前面を装飾する装飾カバー１４を取付けることができるので、突出部１２へ軸部１３を装着する際に、装飾カバー１４を挟むように軸部１３を装着することで、簡単にベース部１１の前面を装飾することができ、ロールペーパーホルダ１０の見栄えを良くすることができる。また、軸部１３の脱着に伴って装飾カバー１４も脱着することができるので、予め色々な種類の装飾カバー１４を用意して、必要に応じて装飾カバー１４を交換したり、所望のデザインの装飾カバー１４を取付けたりすることができ、ロールペーパーホルダ１０の見栄えを多様なニーズに合わせることができる。
【００２４】
ところで、トイレットペーパー等のロールペーパーＲは、一般的に複数個（例えば、１２個）がセットで販売されており、１セットを購入した場合、多くのロールペーパーＲを保管する必要があるが、本例のロールペーパーホルダ１０をトイレ室等の壁に複数取付けるようにすることで、より多くのロールペーパーＲを保持することができ、購入した多くのロールペーパーＲがトイレ室内等で邪魔になることなく保管することができる。
【００２５】
以上、本考案を実施するための最良の実施の形態を挙げて説明したが、本考案は、この実施形態に限定されるものではなく、以下に示すように、本考案の要旨を逸脱しない範囲において、種々の改良及び設計の変更が可能である。
【００２６】
すなわち、上記の実施形態では、ベース部１１に対して突出部１２及び軸部１３を一組のみ備えたものを示したが、これに限定するものではなく、ベース部１１に複数の突出部１２及び軸部１３を備えるようにしても良く、これにより、多くのロールペーパーＲを保持することができると共に、収納箱にロールペーパーＲを収納した場合と比較して、保持しているロールペーパーＲの数を簡単に知ることができる。なお、ベース部１１は、保持するロールペーパーＲの数に応じた形状及び大きさとすると共に、複数の突出部１２や軸部１３は、軸部１３にロールペーパーＲを保持した状態で、隣同士のロールペーパーＲが当らない間隔とする。また、複数の突出部１２や軸部１３の配置は、直線状であっても良いし、千鳥状であっても良いし、更に、上下に複数列の配置であっても良い。
【００２７】
また、上記の実施形態では、トイレ室等の壁に両面粘着フィルム等を用いて取付けるロールペーパーホルダ１０を示したが、これに限定するものではなく、例えば、図３に示すようなロールペーパーホルダ２０としても良い。このロールペーパーホルダ２０は、図示するように、横長長方形で板状のベース部２１と、ベース部２１の上下方向略中央で横方向へ所定間隔に列設され前方へ突出する複数（例えば、５個）の突出部２２と、各突出部２２に夫々脱着可能に装着され、ロールペーパーＲの中心の穴に挿入可能とされた複数の軸部２３と、ベース部２１の上端に取付けられ左右方向へ伸縮可能とされると共に伸長方向へ付勢可能とされた支持機構２４とを備えている。
【００２８】
このロールペーパーホルダ２０の支持機構２４は、ベース部２１の上端に取付けられる本体部２４ａと、本体部２４ａの一端側からベース部２１よりも外側へ突出する第一当接部２４ｂと、本体部２４ａの他端側からベース部２１よりも外側へ延出する棒状の棹部材２４ｃと、棹部材２４ｃの先端に固定された第二当接部２４ｄとを備えている。支持機構２４は、図示は省略するが、棹部材２４ｃの基端が本体部２４ａ内に挿入されており、棹部材２４ｃをその軸周りに回転させることで、本体部２４ｃから伸長させたり、本体部２４ｃ内へ没入させたりすることができるようになっていると共に、本体部２４ｃ内に備えられたバネにより伸長方向へ付勢されている。つまり、この支持機構２４は、公知の突っ張り棒等と同様の構成となっている。
【００２９】
このロールペーパーホルダ２０によると、上述したロールペーパーホルダ１０と同様の作用効果を奏することができる他に、ベース部２１に支持機構２４を備えるようにしているので、トイレ室等の対向する壁面に第一当接部２４ｂと第二当接部２４ｄを夫々当接させた上で壁側への付勢力により本体部２４ａ及び棹部材２４ｃが壁面の間で突っ張るように支持機構２４を取付けることで、ベース部２１を壁面の間に支持することができ、ロールペーパーホルダ２０を簡単にトイレ室等に取付けることができる。また、支持機構２４では、左右方向へ伸縮することができるので、対向する壁面の間隔がロールペーパーホルダ２０を取付けるトイレ室等によって異なっていても、支持機構２４の棹部材２４ｃを伸縮させることで、多様な間隔の壁面に取付けることができる。
【００３０】
更に、上記の実施形態では、円筒状の突出部１２，２２に、円筒状の軸部１３，２３を嵌合させることで、軸部１３，２３を脱着可能に装着したものを示したが、これに限定するものではなく、例えば、突出部又は軸部の何れか一方に係止爪を、何れか他方に係止爪と係止する係止部を備え、係止部に係止爪を係止させることで軸部を脱着可能に装着するようにしても良いし、或いは、突出部の外周に雄ねじを形成すると共に軸部に雄ねじと螺合する雌ねじを形成し、雌ねじと雄ねじを螺合させることで軸部を脱着可能に装着するようにしても良く、上記と同様の作用効果を奏することができる。
【符号の説明】
【００３１】
１０  ロールペーパーホルダ
１１  ベース部
１２  突出部
１３  軸部
１４  装飾カバー
２０  ロールペーパーホルダ
２１  ベース部
２２  突出部
２３  軸部
２４  支持機構
２４ａ  本体部
２４ｂ  第一当接部
２４ｃ  棹部材
２４ｄ  第二当接部
Ｒ  ロールペーパー
【先行技術文献】
【特許文献】
【００３２】
【特許文献１】実開平６−６８５９１号公報
【図１】
0003152098.tif 000003
【図２】
0003152098.tif 000004
【図３】
0003152098.tif 000005